(57)【要約】【課題】簡単かつ確実に本人確認を行い、容易に偽造や変造を行なうことができない購入者カードを発行可能である。【解決手段】少なくとも、ＩＣチップを有するＩＤカードから属性情報を読み取る属性情報読取部と、購入者カード発行の可否を判断する購入者カード発行可否判断部と、前記属性情報読取部で読み取った前記ＩＤカードの属性情報から前記購入者カード発行可否判断部により予め登録された購入者カード発行可能条件に合致していると判断した場合のみ購入者カード発行を許可する購入者カード発行機であり、前記ＩＤカードの属性情報の読み取りを許可するための暗証番号入力部と、前記暗証番号入力部で入力された暗証番号が、前記ＩＤカードに予め登録された暗証番号と一致した場合のみ、前記属性情報読取部による属性情報の読み取りを可能にする属性情報読取許可部とを有する。【選択図】図６
2005215864.tif 000002
【特許請求の範囲】
【請求項１】
少なくとも、ＩＣチップを有するＩＤカードから属性情報を読み取る属性情報読取部と、
購入者カード発行の可否を判断する購入者カード発行可否判断部と、
前記属性情報読取部で読み取った前記ＩＤカードの属性情報から前記購入者カード発行可否判断部により予め登録された購入者カード発行可能条件に合致していると判断した場合のみ購入者カード発行を許可する購入者カード発行機であり、
前記ＩＤカードの属性情報の読み取りを許可するための暗証番号入力部と、
前記暗証番号入力部で入力された暗証番号が、前記ＩＤカードに予め登録された暗証番号と一致した場合のみ、前記属性情報読取部による属性情報の読み取りを可能にする属性情報読取許可部とを有することを特徴とする購入者カード発行機。
【請求項２】
前記ＩＤカードから予め記録された生体情報を読み取る記録生体情報読取部と、
購入者の生体情報を採取する生体情報採取部と、
前記記録生体情報読取部で読み取った記録生体情報と前記生体情報採取部で採取した採取生体情報を比較し前記ＩＤカードの持ち主と購入者が同一人物であることを確認する本人確認部を有し、
前記本人確認部で本人確認され、かつ前記暗証番号入力部で入力された暗証番号が前記ＩＤカードに予め登録された暗証番号と一致した場合のみ、前記属性情報読取許可部が前記属性情報読取部による属性情報の読み取りを可能にすることを特徴とする請求項１に記載の購入者カード発行機。
【請求項３】
前記ＩＤカードから属性情報の読み取りを許可するための暗証番号が予め前記ＩＤカードに登録されているか否かを判断する暗証番号登録有無判断部を有し、
前記暗証番号登録有無判断部が前記ＩＤカードに前記暗証番号が登録されていないと判断した場合は、暗証番号を入力することなく、前記属性情報読取部で属性情報を読み取り、
前記暗証番号登録有無判断部が前記ＩＤカードに前記暗証番号が登録されていると判断した場合は、前記暗証番号入力部に、前記ＩＤカードの暗証番号と同じ暗証番号が入力されることにより前記属性情報読取部で属性情報を読み取ることを特徴とする請求項１または請求項２に記載の購入者カード発行機。
【請求項４】
前記暗証番号入力部で入力された暗証番号が所定の時間保持されるとともに、その所定の時間内に前記ＩＤカードを前記属性情報読取部に近接させることにより、前記ＩＤカードの属性情報が読み取り可能となることを特徴とする請求項１乃至請求項３のいずれか１項に記載の購入者カード発行機。
【請求項５】
前記購入者カードに情報を記憶する購入者カード情報書込部を有することを特徴とする請求項１乃至請求項４のいずれか１項に記載の購入者カード発行機。
【請求項６】
前記購入者カード情報書込部が記憶する情報は、前記ＩＤカードに記憶された情報と同じアドレスかつ同じ書式で書き込まれることを特徴とする請求項５に記載の購入者カード発行機。
【請求項７】
支払われた金額に相応したポイントを発生させるポイント発生部と、
購入者カードにポイントを書き込み、ポイントを書き換え可能状態で保存可能にするポイント書込部とを有することを特徴とする請求項１乃至請求項６のいずれか１項に記載の購入者カード発行機。
【請求項８】
前記属性情報は、少なくとも生年月日情報、性別情報、住所情報、国籍情報のいずれかを含むことを特徴とする請求項１乃至請求項７のいずれか１項に記載の購入者カード発行機。
【請求項９】
前記ＩＤカードは、少なくとも運転免許証、健康保険証、パスポート、社員証、学生証を含むことを特徴とする請求項１乃至請求項８のいずれか１項に記載の購入者カード発行機。
【発明の詳細な説明】
【技術分野】
【０００１】
この発明は、例えばＩＤカード化した運転免許証から購入者カードを発行する購入者カード発行機に関するものである。
【背景技術】
【０００２】
自動販売機の普及は目覚ましく種々の商品が自動販売機により販売されているが、その中でも、たばこの自動販売機やアルコール飲料の自動販売機は、最も広く利用されているものの１つである。ところで、このようなたばこやアルコール飲料は、未成年者が喫煙したり飲食するのが禁じられている物品であり、当然未成年者への販売も行なわないことが望ましい。
【０００３】
そのために、近年では、成人にのみ暗証番号付の磁気カードを発行し、磁気カードを自動販売機に挿入すると共に、自動販売機に暗証番号を入力し、磁気カードの暗証番号と入力した暗証番号とが一致した場合のみ、販売可のランプを点灯するようにしたものがある（例えば特許文献１）。
【特許文献１】特開２０００−３３９５２７号公報
【発明の開示】
【発明が解決しようとする課題】
【０００４】
ところで、成人にのみ暗証番号付の磁気カードを発行する構成が、目で成人であることを確認した後、カード固有データが記録されている購入者カードを発行する構成のため、成人と見誤って未成年者に購入者カードを発行してしまうという問題点があった。
【０００５】
また、購入者カードは、発行する際にカードの所有者を明らかにし、カードを他人に譲渡しにくくするため、カード表面の所定欄に、ユーザの氏名、住所及び電話番号をペン等で記入しているが、購入者カードは容易に偽造や変造を行なうことができる等の問題がある。
【０００６】
この発明は、かかる観点からなされたもので、簡単かつ確実に本人確認を行い、容易に偽造や変造を行なうことができない購入者カードを発行可能な購入者カード発行機を提供することを目的としている。
【課題を解決するための手段】
【０００７】
前記課題を解決し、かつ目的を達成するために、この発明は、以下のように構成した。
【０００８】
請求項１に記載の発明は、少なくとも、ＩＣチップを有するＩＤカードから属性情報を読み取る属性情報読取部と、
購入者カード発行の可否を判断する購入者カード発行可否判断部と、
前記属性情報読取部で読み取った前記ＩＤカードの属性情報から前記購入者カード発行可否判断部により予め登録された購入者カード発行可能条件に合致していると判断した場合のみ購入者カード発行を許可する購入者カード発行機であり、
前記ＩＤカードの属性情報の読み取りを許可するための暗証番号入力部と、
前記暗証番号入力部で入力された暗証番号が、前記ＩＤカードに予め登録された暗証番号と一致した場合のみ、前記属性情報読取部による属性情報の読み取りを可能にする属性情報読取許可部とを有することを特徴とする。
【０００９】
請求項２に記載の発明は、前記ＩＤカードから予め記録された生体情報を読み取る記録生体情報読取部と、
購入者の生体情報を採取する生体情報採取部と、
前記記録生体情報読取部で読み取った記録生体情報と前記生体情報採取部で採取した採取生体情報を比較し前記ＩＤカードの持ち主と購入者が同一人物であることを確認する本人確認部を有し、
前記本人確認部で本人確認され、かつ前記暗証番号入力部で入力された暗証番号が前記ＩＤカードに予め登録された暗証番号と一致した場合のみ、前記属性情報読取許可部が前記属性情報読取部による属性情報の読み取りを可能にすることを特徴とする。
【００１０】
請求項３に記載の発明は、前記ＩＤカードから属性情報の読み取りを許可するための暗証番号が予め前記ＩＤカードに登録されているか否かを判断する暗証番号登録有無判断部を有し、
前記暗証番号登録有無判断部が前記ＩＤカードに前記暗証番号が登録されていないと判断した場合は、暗証番号を入力することなく、前記属性情報読取部で属性情報を読み取り、
前記暗証番号登録有無判断部が前記ＩＤカードに前記暗証番号が登録されていると判断した場合は、前記暗証番号入力部に、前記ＩＤカードの暗証番号と同じ暗証番号が入力されることにより前記属性情報読取部で属性情報を読み取ることを特徴とする。
【００１１】
請求項４に記載の発明は、前記暗証番号入力部で入力された暗証番号が所定の時間保持されるとともに、その所定の時間内に前記ＩＤカードを前記属性情報読取部に近接させることにより、前記ＩＤカードの属性情報が読み取り可能となることを特徴とする。
【００１２】
請求項５に記載の発明は、前記購入者カードに情報を記憶する購入者カード情報書込部を有することを特徴とする。
【００１３】
請求項６に記載の発明は、前記購入者カード情報書込部が記憶する情報は、前記ＩＤカードに記憶された情報と同じアドレスかつ同じ書式で書き込まれることを特徴とする。
【００１４】
請求項７に記載の発明は、支払われた金額に相応したポイントを発生させるポイント発生部と、
購入者カードにポイントを書き込み、ポイントを書き換え可能状態で保存可能にするポイント書込部とを有することを特徴とする。
【００１５】
請求項８に記載の発明は、前記属性情報は、少なくとも生年月日情報、性別情報、住所情報、国籍情報のいずれかを含むことを特徴とする。
【００１６】
請求項９に記載の発明は、前記ＩＤカードは、少なくとも運転免許証、健康保険証、パスポート、社員証、学生証を含むことを特徴とする。
【発明の効果】
【００１７】
前記構成により、この発明は、以下のような効果を有する。
【００１８】
請求項１に記載の発明では、暗証番号入力部で入力された暗証番号が、ＩＤカードに予め登録された暗証番号と一致した場合のみ、ＩＤカードから属性情報を読み取り、この読み取った属性情報から予め登録された購入者カード発行可能条件に合致していると判断した場合のみ購入者カード発行を許可するから、例えばＩＤカード化した運転免許証により簡単かつ確実に本人確認を行い、容易に偽造や変造を行なうことができない購入者カードを発行可能である。
【００１９】
請求項２に記載の発明では、記録生体情報読取部で読み取った記録生体情報と生体情報採取部で採取した採取生体情報を比較しＩＤカードの持ち主と購入者が同一人物であることを確認し、かつ暗証番号入力部で入力された暗証番号がＩＤカードに予め登録された暗証番号と一致した場合のみ、属性情報の読み取りを可能にし、購入者の生体情報を用いてさらにより確実に本人確認を行い、紛失したり、盗難されたＩＤカードが使用されないようにすることができる。
【００２０】
請求項３に記載の発明では、ＩＤカードに暗証番号が登録されていないと判断した場合は、暗証番号を入力することなく、属性情報読取部で属性情報を読み取り、ＩＤカードに暗証番号が登録されていると判断した場合は、ＩＤカードの暗証番号と同じ登録番号が入力されることにより属性情報を読み取り、ＩＤカードに暗証番号が登録されていない場合でも使用することができる。
【００２１】
請求項４に記載の発明では、暗証番号入力部で入力された暗証番号が所定の時間保持されるとともに、その所定の時間内にＩＤカードを属性情報読取部に近接させることにより、非接触式のＩＤカードを用いて簡単かつ確実に属性情報を読み取ることができる。
【００２２】
請求項５に記載の発明では、購入者カードにＩＤカードの情報を記憶することで、購入者カードをＩＤカードと同様に用いることができる。
【００２３】
請求項６に記載の発明では、購入者カードに記憶する情報は、ＩＤカードに記憶された情報と同じアドレスかつ同じ書式で書き込まれ、書き込み処理が簡単である。
【００２４】
請求項７に記載の発明では、支払われた金額に相応したポイントを発生させ、購入者カードにポイントを書き込み、ポイントを書き換え可能状態で保存可能にすることで、購入者カードを使用して商品を購入することができる。
【００２５】
請求項８に記載の発明では、属性情報は、少なくとも生年月日情報、性別情報、住所情報、国籍情報のいずれかを含み、年齢、性別、住所、国籍に基づき禁制品の販売を規制できる。
【００２６】
請求項９に記載の発明では、ＩＤカードは、少なくとも運転免許証、健康保険証、パスポート、社員証、学生証を含み、種々のＩＤカードを用いて購入者カードを販売できる。
【発明を実施するための最良の形態】
【００２７】
以下、この発明の購入者カード発行機の実施の形態について説明するが、この発明は、この実施の形態に限定されない。また、この発明の実施の形態は、発明の最も好ましい形態を示すものであり、この発明の用語はこれに限定されない。
【００２８】
まず、図１乃至図８に示す実施の形態について説明する。図１は購入者カード発行機の斜視図である。この実施の形態の購入者カード発行機１は、ＩＣチップを有するＩＤカード化した運転免許証から購入者カード６０を発行し、この購入者カード６０を用いて例えば自動販売機で未成年者が喫煙したり飲食するのが禁じられている物品、例えばたばこ、アルコール飲料等を購入することができる。
【００２９】
この購入者カード発行機１は、発行機本体２の正面上部にショーウインドー３が設けられ、ショーウインドー３には複数の種類の購入者カード見本４が陳列され、それぞれの購入者カード見本４に対応して購入者カード選択ボタン５が配列されている。購入者カード選択ボタン５では、例えば写真なしの購入者カード、あるいは写真入りの購入者カードの発行が選択される。
【００３０】
発行機本体２の正面右側下部には、紙幣挿入器６が、さらに、その下方にはコイン投入口７及び取消しつまみ８が装備され、コイン投入口７の下方における比較的低い位置に返却口９が設けられるとともに、さらに、その下方にショーウインドー３に対応する購入者カード取出口１０が設けられている。
【００３１】
発行機本体２の正面右側上部には、カード情報読取部１１が、さらに、その下方には操作表示部１２が設けられ、ＩＤカードの情報を読み取り、購入するための操作や表示が行なわれる。発行機本体２の内部には、発行される購入者カードが内蔵されると共に、図６に示すように発行するための構成になっている。
【００３２】
図２は購入者カードの購入状態を示す図、図３はカード情報読取部及び操作表示部の正面図である。操作表示部１２は、液晶タッチパネルで構成され、この液晶タッチパネルには、暗証番号入力ボタン１２ａと操作状態表示部１２ｂが設けられている。
【００３３】
購入者Ｐは、操作表示部１２の暗証番号入力ボタン１２ａを操作して暗証番号を入力し、この暗証番号を入力した後に、所定の時間以内に運転免許証をＩＤカード化したＩＤカード２０をカード情報読取部１１に近接させてＩＤカード２０に記憶された情報を読み取るようにする。購入者Ｐは、操作状態表示部１２ｂの表示によって購入するための操作を行なう。
【００３４】
図４はＩＤカードの平面図、図５はＩＤカードの構成図である。この実施の形態のＩＤカード２０は、運転免許証をＩＤカード化したものであるがこれに限定されず、健康保険証、パスポート、社員証、学生証等をＩＤカード化したものでもよい。
【００３５】
この実施の形態のＩＤカード２０は、２枚のシート基材である第１及び第２のシート材２２，２３としてのベースフィルムと、これら第１及び第２のシート材２２，２３間に介在される接着層２４，２５とからなる。これら第１及び第２のシート材２２，２３の接着層２４，２５を介しない側の表面には、受像層または筆記層が形成される。
【００３６】
受像層の一例としては、昇華染料インクがＴＰＨ（サーマルヘッド）で加熱されて熱拡散する時に、染料をトラップして定着させる素材で構成されるものが挙げられる。この実施の形態の運転免許証をＩＤカード化したＩＤカード２０では氏名、生年月日、本籍、住所、交付年月日、交付条件等、免許番号、種類、顔画像等が記録されている。筆記層は、例えばポリエステル樹脂等にシリカ等の白色顔料を分散させたものを塗工して形成することができる。
【００３７】
接着層２４，２５内にはＩＣチップ２６、アンテナ２７及びＩＣモジュールの基材２８を有するＩＣモジュール２９が封入されている。ＩＣチップ２６には、運転免許証に記録した氏名、生年月日、本籍、住所、交付年月日、交付条件等、免許番号、種類、顔画像等がデジタル情報として記録され、さらに暗証番号が記録される。
【００３８】
このように非接触のＩＤカード２０は、外部装置から電源の供給を受けるとともに通信を行うためのアンテナ２７、所定の処理を実行するＣＰＵ、その実行プログラムを記録したプログラムＲＯＭ、動作中の種々のデータを記録するＲＡＭ、データを記録しておく不揮発性メモリ及び整流回路やコンデンサなどの周辺回路、周辺素子のＩＣチップ２６を有し、外部装置とアンテナ２７を介して電磁波により非接触で通信を行い、所望のデータの送受信を行う。
【００３９】
図６は購入者カード発行機の構成図、図７は購入者カードの情報書込書式を示す図である。この実施の形態の購入者カード発行機１は、発行機本体２の外部にカード情報読取部１１、操作表示部１２が設けられ、発行機本体２の内部に制御部３０、購入者カード発行部３１、金銭精算部３２が配置され、これらは電子回路や機械的手段等から構成される。
【００４０】
カード情報読取部１１は、通信アンテナ部１１ａと情報読取部１１ｂを有し、ＩＤカード２０から情報を読み取る。通信アンテナ部１１ａは外部に近接したＩＤカード２０のアンテナ２７と通信を行う。通信アンテナ部１１ａには、購入者カード発行機１が通信対象とする複数種類の非接触のＩＤカード２０のいずれに対しても通信が行えるように、それらの非接触のＩＤカード２０の通信信号の特性に応じた複数種類のアンテナが具備されている。情報読取部１１ｂは通信アンテナ部１１ａを介して非接触のＩＤカード２０のアンテナ２７と通信を行い、ＩＤカード２０のＩＣチップ２６より情報を読み出し、さらにその情報を制御部３０に出力する。具体的には、情報読取部１１ｂは、ＣＰＵ及びメモリにより構成される。そして、このメモリに、ＣＰＵにおける処理プログラムと、購入者カード発行機１が通信対象としているＩＤカード２０ごとに、その通信信号の特性、情報の読み出し手順などの通信プロトコル、読み出した情報のフォーマットなどが予め登録されている。
【００４１】
操作表示部１２に備えられる暗証番号入力ボタン１２ａは、例えばテンキーで構成され、購入者がＩＤカード２０に予め登録されている暗証番号を入力する操作を行なう。暗証番号入力ボタン１２ａにより暗証番号を入力すると、制御部３０に出力される。操作表示部１２に備えられる操作状態表示部１２ｂは、制御部３０からの制御により操作指示表示、属性情報の読み出し不能表示、暗証番号誤り表示、発行不可表示等が行なわれる。
【００４２】
制御部３０は、暗証番号入力部３０ａ、暗証番号登録有無判断部３０ｂ、属性情報読取部３０ｃ、属性情報読取許可部３０ｄ、購入者カード発行可否判断部３０ｅ、購入者カード判断部３０ｆ、購入者カード情報書込部３０ｇ、ポイント発生部３０ｈ及びポイント書込部３０ｉを有し、具体的には、ＣＰＵ及びメモリ等により構成される。
【００４３】
暗証番号入力部３０ａは、暗証番号入力ボタン１２ａから入力される暗証番号を所定時間保持し、属性情報読取許可部３０ｄに出力する。
【００４４】
暗証番号登録有無判断部３０ｂは、カード情報読取部１１により読み取られた情報からＩＤカード２０に予め暗証番号が登録されているか否かの判断を行ない、判断情報を属性情報読取許可部３０ｄに出力する。属性情報読取部３０ｃは、カード情報読取部１１により読み取られた情報からＩＤカード２０に記録されている属性情報を読み取る。属性情報読取許可部３０ｄは、暗証番号入力部３０ａで入力された暗証番号が、ＩＤカード２０に予め登録された暗証番号と一致した場合のみ、属性情報読取部３０ｃによる属性情報の読み取りを可能にする。
【００４５】
購入者カード発行可否判断部３０ｅは、属性情報読取部３０ｃで読み取ったＩＤカード２０の属性情報から予め登録された購入者カード発行可能条件に合致していると判断した場合のみ購入者カード発行を許可する。例えば、購入者カード発行可否判断部３０ｅに予め２０才以上に購入者カード発行可能の条件が登録されていると、ＩＤカード２０の生年月日から演算して得られる年齢と比較し、２０才以上の購入者カード発行可能条件に合致していると判断した場合のみ購入者カード発行を許可する。購入者カード発行を許可しない場合は、購入者カード発行不可を操作状態表示部１２ｂに出力して購入者カード発行不可表示を行なう。購入者カード発行可の場合は、購入者カード判断部３０ｆで購入者カード選択ボタン５により選択された購入者カードを判断し、金銭精算部３２で選択された購入者カードに応じた料金が投入されると、購入者カード発行許可の指令を購入者カード発行部３１に出力する。
【００４６】
購入者カード判断部３０ｆは、購入者カード選択ボタン５により選択された購入者カードを判断し、この選択された購入者カード情報を購入者カード発行可否判断部３０ｅに出力する。
【００４７】
購入者カード情報書込部３０ｇは、購入者カード発行可否判断部３０ｅの出力により発行する購入者カード６０に情報を記憶する。購入者カード６０にＩＤカード２０の情報を記憶することで、購入者カード６０をＩＤカード２０と同様に用いることができる。
【００４８】
この購入者カード情報書込部３０ｇが記憶する情報は、図７に示すように、ＩＤカード２０に記憶された情報と同じアドレスかつ同じ書式で書き込まれる。この実施の形態では、ＩＤカード２０のカード形式が、例えば所有者氏名、住所、ＩＤ番号、生年月日、暗証番号、有効期限、顔画像情報を有するものであると、購入者カードのカード形式は、発行所ＩＤ、所有者氏名、カード番号、生年月日、暗証番号、ＩＤカード２０の元カードＩＤ、有効期限、顔画像情報、ポイント情報、その他の情報を有する。
【００４９】
この購入者カード６０では、ＩＤカード２０に記憶された所有者氏名、ＩＤ番号、生年月日、暗証番号、顔画像情報に加えて、発行所ＩＤ、カード暗号、有効期限、その他の情報を書き込み、ＩＤカード２０に記憶された情報と同じアドレスかつ同じ書式で書き込まれ、書き込み処理が簡単である。この実施の形態では、顔画像情報、ポイント情報、その他の情報を書き込むが、ＩＤカード２０に顔画像情報が無い場合は、書き込まれないし、購入者カード６０をポイントカードとして用いない場合はポイント情報を書き込まないようにしてもよい。
【００５０】
ポイント発生部３０ｈは、購入者カード発行可否判断部３０ｅの出力により支払われた金額に相応したポイントを発生させる。ポイント書込部３０ｉは、ポイント発生部３０ｈからのポイントの情報を、購入者カード６０に書き込み、このポイントの情報を書き換え可能状態で保存可能にする。このように、支払われた金額に相応したポイントを発生させ、購入者カード６０にポイントの情報を書き込み、ポイントを書き換え可能状態で保存可能にすることで、購入者カード６０を使用して商品を購入することができる。
【００５１】
購入者カード発行部３１は、購入者カード発行可否判断部３０ｅからの購入者カード発行許可の情報に基づき、情報が書き込まれ、またポイントが書き込まれた購入者カード６０の発行を行なう。
【００５２】
金銭精算部３２は、周知のコインメック等を含み金銭保留機構とも電気的に接続されており、選択された購入者カード情報に基づき、購入者が投入した金額のうち当該商品の対価分だけ金庫への回収を行い、つり銭を返却口９に返却する。
【００５３】
この実施の形態の自動販売機１は、暗証番号入力部３０ａで入力された暗証番号が所定の時間保持されるとともに、その所定の時間内にＩＤカード２０をカード情報読取部１１に近接させて属性情報読取部３０ｃにより、ＩＤカード２０の属性情報が読み取り可能となる。
【００５４】
この暗証番号入力部３０ａで入力された暗証番号が保持される所定の時間は１５秒以下であり、この所定の時間内に暗証番号入力部３０ａで入力された暗証番号が、ＩＤカード２０に予め登録された暗証番号と一致した場合のみ、属性情報読取部３０ｃによる属性情報の読み取りを可能にし、簡単かつ確実に本人確認を行い、非接触式のＩＤカード２０を用いて属性情報を読み取りことができる。この所定の時間終了後または購入者カード発行後は、暗証番号入力部３０ａで入力された暗証番号は無効または消去され、次の購入者カードの発行に備える。
【００５５】
この実施の形態では、読み取った属性情報から予め登録された購入者カード発行可能条件に合致していると判断した場合のみ購入者カード発行を許可するから、例えばＩＤカード化した運転免許証により簡単かつ確実に本人確認を行い、容易に偽造や変造を行なうことができない購入者カード６０を発行可能である。
【００５６】
図８は購入者カード発行機の作動を示すフローチャートである。この実施の形態の購入者カード発行機１では、運転免許証をＩＤカード化したＩＤカード２０を用いて購入者カードを発行する場合を示し、ステップａ１で操作状態表示部１２ｂに「暗証番号有無選択」の表示を行ない、暗証番号有のタッチキーを押すと（ステップａ２）、「暗証番号入力」表示を行ない（ステップａ３）、暗証番号入力ボタン１２ａを操作し、これにより暗証番号入力部３０ａで暗証番号の入力を行なう（ステップａ４）。
【００５７】
この暗証番号の入力から暗証番号入力部３０ａに備えるタイマーがスタートし、所定の時間、この実施の形態ではタイマーで設定された１５秒経過確認を行ない保持する（ステップａ５）。この１５秒が未経過の間にカード情報読取部１１によりＩＤカード２０のカード検出が行なわれると、カード暗証番号の読み出しが行なわれる（ステップａ６）。
【００５８】
暗証番号入力部３０ａに入力された暗証番号とカード情報読取部１１から読み出された暗証番号とを属性情報読取許可部３０ｄで照合し（ステップａ７）、暗証番号照合が不一致であると操作状態表示部１２ｂに「暗証番号誤り」表示を行ない終了する（ステップａ８）。暗証番号照合が一致していると、属性情報読取部３０ｃで生年月日の属性情報の読み出しを行ない（ステップａ９）、この生年月日から年齢を算出する（ステップａ１０）。
【００５９】
ステップａ２において、ＩＤカード２０に暗証番号の記憶がない場合には、操作状態表示部１２ｂの暗証番号無のタッチキーを押すと、属性情報読取部３０ｃで生年月日の属性情報の読み出しを行なう（ステップａ１１）。ステップａ１２において、読み出し可能の場合には、ステップａ１０へ移行し、読み出し不可能の場合には、操作状態表示部１２ｂに「生年月日情報読み出し不可」の表示を行ない、終了する（ステップａ１３）。
【００６０】
この生年月日から年齢を算出し（ステップａ１０）、購入者カード発行可否判断部３０ｅで購入者カード発行年齢条件と照合し（ステップａ１４）、不適合の場合には操作状態表示部１２ｂに「カード発行不可」表示を行ない終了し（ステップａ１５）、適合の場合には購入者カード発行可否判断部３０ｅでＩＤカード２０のカード番号を読み出し（ステップａ１６）、顔画像情報を読み出し（ステップａ１７）、購入者カード情報書込部３０ｇではこれらのカード番号、顔画像情報に加え、発行所ＩＤ、所有者氏名、生年月日、暗証番号、ＩＤカード２０の元カードＩＤ、有効期限、ポイントデータ、その他のデータを購入カードにデータ書き込みをし（ステップａ１８）、購入カード６０を排出し終了する（ステップａ１９）。
【００６１】
次に、図９乃至図１２に示す実施の形態について説明する。この実施の形態の購入者カード発行機１は、図１乃至図８に示す購入者カード発行に購入者の生体情報を採取し、ＩＤカード２０で読み取った記録生体情報と採取生体情報を比較しＩＤカード２０の持ち主と購入者が同一人物であることを確認するようにしたものであり、同じ構成は同じ符号を付して説明を省略する。
【００６２】
図９は購入者カード発行の斜視図、図１０は購入者カードの購入状態を示す図である。この実施の形態の購入者カード発行１は、カード情報読取部１１の上方に購入者の生体情報を採取する生体情報採取部４０が備えられている。この生体情報採取部４０は、顔撮影手段４０ａまたは指紋入力手段４０ｂからなる。
【００６３】
顔撮影手段４０ａは、ＣＣＤカメラで構成され、購入者Ｐの顔を撮影し、顔画像の生体情報を得る。指紋入力手段４０ｂは、指紋入力センサで構成され、指紋入力センサの出力は指紋の凹凸に応じた光の反射率で決まるため、それらの出力はそれぞれの指の指紋に応じて異なることになることで、指紋の生体情報を得る。この実施の形態では、顔撮影手段４０ａあるいは指紋入力手段４０ｂで購入者Ｐの生体情報を得ているが、これに限定されず、音声、サイン等からも生体情報を得るようにしてもよい。
【００６４】
図１１は購入者カード発行機の構成図である。この実施の形態の購入者カード発行機１は、カード情報読取部１１に、ＩＤカード２０から記録生体情報を読み取る記録生体情報読取部１１ｃが設けられ、制御部３０に本人確認部３０ｊが設けられている。
【００６５】
記録生体情報読取部１１ｃは、ＣＰＵ及びメモリにより構成され、通信アンテナ部１１ａを介して非接触のＩＤカード２０のアンテナ２７と通信を行い、ＩＤカード２０のＩＣチップ２６に記録されている記録生体情報を読み取る。
【００６６】
生体情報採取部４０を構成する顔撮影手段４０ａまたは指紋入力手段４０ｂにより採取された生体情報は、本人確認部３０ｊに送られる。本人確認部３０ｊでは、記録生体情報読取部１１ｃで読み取った記録生体情報と生体情報採取部４０で採取した採取生体情報を比較し、両生体情報が一致すると、ＩＤカード２０の持ち主と購入者が同一人物であることを確認する。
【００６７】
属性情報読取許可部３０ｅでは、本人確認部３０ｊで確認され、かつ暗証番号入力部３０ａで入力された暗証番号がＩＤカード２０に予め登録された暗証番号と一致した場合のみ、属性情報読取部３０ｃによる属性情報の読み取りを可能にする。
【００６８】
図１２は購入者カード発行機の作動を示すフローチャートである。この実施の形態の購入者カード発行機１では、生体情報採取部４０で購入者Ｐの生体情報を取り込み（ステップｂ１）、記録生体情報読取部１１ｃでＩＤカード２０の記録生体情報を読み取り（ステップｂ２）、両生体情報が一致するか否かの判断を行ない本人確認をする（ステップｂ３）。
【００６９】
本人でないと判断されると、操作状態表示部１２ｂに「購入者カード発行不可」表示を行ない終了し（ステップｃ４）、本人であると判断されると、ステップｂ５乃至ステップｂ２３を行なう。このステップｂ５乃至ステップｂ２３は、図８のステップａ１乃至ステップａ１９と同様にして購入者カード発行年齢条件を照合するから説明を省略する。
【００７０】
この実施の形態では、記録生体情報読取部１１ｃで読み取った記録生体情報と生体情報採取部４０で採取した採取生体情報を比較し、両生体情報が一致することで、確実に本人確認を行い、紛失したり、盗難されたＩＤカードが使用されないようにすることができる。
【００７１】
このように、図１乃至図１２の購入者カード発行機１では、購入者カード発行可能条件に合致していると判断した場合のみ購入者カード発行を許可するＩＤカード２０の属性情報として、生年月日情報を用いているが、これに限定されず、性別情報を用い男性のみ、あるいは女性のみに商品を販売できるようにしてもよく、また住所情報、国籍情報を用いて購入者カード発行可能条件を設定し購入者カード発行を許可するようにしてもよい。
【００７２】
また、図１乃至図１２の購入者カード発行機１では、ＩＤカード化した運転免許証を用いて購入者カードを発行する場合について説明したが、例えばＩＤカード化した健康保険証、パスポート、社員証、学生証等から購入者カードを発行するようにしてもよい。
【産業上の利用可能性】
【００７３】
この購入者カード発行機は、例えばＩＤカード化した運転免許証、健康保険証、パスポート、社員証、学生証等のＩＤカードによって利用者の年齢等を識別し、年齢等の条件による禁制品の販売を規制できる購入者カードを発行するものに適用できる。
【図面の簡単な説明】
【００７４】
【図１】購入者カード発行機の斜視図である。
【図２】購入者カードの購入状態を示す図である。
【図３】カード情報読取部及び操作表示部の正面図である。
【図４】ＩＤカードの平面図である。
【図５】ＩＤカードの構成図である。
【図６】購入者カード発行機の構成図である。
【図７】購入者カードの情報書込書式を示す図である。
【図８】購入者カード発行機の作動を示すフローチャートである。
【図９】購入者カード発行機の他の実施の形態の斜視図である。
【図１０】他の実施の形態の購入者カードの購入状態を示す図である。
【図１１】購入者カード発行機の他の実施の形態の構成図である。
【図１２】購入者カード発行機の作動を示す他の実施の形態のフローチャートである。
【符号の説明】
【００７５】
１  購入者カード発行機
２  発行機本体
１１  カード情報読取部
１１ａ  通信アンテナ部
１１ｂ  情報読取部
１１ｃ  記録生体情報読取部
１２  操作表示部
１２ａ  暗証番号入力ボタン
１２ｂ  操作状態表示部
２０  ＩＤカード
２６  ＩＣチップ
２７  アンテナ
３０  制御部
３０ａ  暗証番号入力部
３０ｂ  暗証番号登録有無判断部
３０ｃ  属性情報読取部
３０ｄ  属性情報読取許可部
３０ｅ  購入者カード発行可否判断部
３０ｆ  購入者カード判断部
３０ｇ  購入者カード情報書込部
３０ｈ  ポイント発生部
３０ｉ  ポイント書込部
３０ｊ  本人確認部
３１  購入者カード発行部
３２  金銭精算部
４０  生体情報採取部
【図１】
2005215864.tif 000003
【図２】
2005215864.tif 000004
【図３】
2005215864.tif 000005
【図４】
2005215864.tif 000006
【図５】
2005215864.tif 000007
【図６】
2005215864.tif 000008
【図７】
2005215864.tif 000009
【図８】
2005215864.tif 000010
【図９】
2005215864.tif 000011
【図１０】
2005215864.tif 000012
【図１１】
2005215864.tif 000013
【図１２】
2005215864.tif 000014